(57)【要約】【課題】電線導体とプラグインブレーカとの接続が可能で、コンパクトに納まって回路増設に対応し易いプラグインブレーカ用端子台を提供する。【解決手段】ケース１と複数の導電バー２とを備え、この導電バー２を介しプラグインブレーカ３と電線導体とを接続するプラグインブレーカ用端子台において、複数の導電バー２をケース１の高さ方向に位置をずらせて挿着し、各導電バー２の前端にプラグインブレーカ３のプラグイン機構部４に挿入接続される接続片部５を延設して前方へ突設し、各導電バー２の後端に電線導体がネジ止めされる端子片部６を延設して後方へ階段状に突設し、ケース１の両側壁部７に同ケース１間で相互に連結され得る形状の係合部８と被係合部９とを配設形成した。【選択図】　　　　　図１
2004030995.tif 000002
【特許請求の範囲】
【請求項１】
絶縁性を有するケースと、このケース内に挿着される極性の異なった複数の導電バーとを備え、導電バーを介してプラグインブレーカと電線導体とを接続するプラグインブレーカ用端子台であって、複数の導電バーをケースの高さ方向に位置をずらせて挿着し、各導電バーの前端にプラグインブレーカのプラグイン機構部に挿入接続される接続片部を延設して、この各接続片部をケースの前方へ突設し、各導電バーの後端に電線導体がネジ止めされる端子片部を延設して、この各端子片部をケースの後方へ階段状に突設し、ケースの両側壁部に同ケース間で相互に連結され得る形状の係合部と被係合部とを配設形成してなるプラグインブレーカ用端子台。
【請求項２】
ケースの両側壁部間の外形巾寸法を接続されるプラグインブレーカの巾寸法と略等しく形成したことを特徴とする請求項１記載のプラグインブレーカ用端子台。
【請求項３】
ケースの内面に、前方から挿着される導電バーを位置決めして抜け止めする凸起を突設形成したことを特徴とする請求項１又は２記載のプラグインブレーカ用端子台。
【請求項４】
ケースの両側壁部に、前方から挿着される導電バーを受け入れて係合保持するスリットを配設形成したことを特徴とする請求項１〜３のいずれか一つに記載のプラグインブレーカ用端子台。
【請求項５】
係合部と被係合部とが連結されて複数のケースが並設される場合に、同複数のケース間に渡って連続する導電バーを備え、この導電バーがスリットに係合保持されて各ケース間に掛け渡して挿着されるようになし、同導電バーには共用される単一の端子片部を延設したことを特徴とする請求項４記載のプラグインブレーカ用端子台。
【請求項６】
導電バーとして、中性電圧相用導電バーと第一電圧相用導電バーと第二電圧相用導電バーとを備え、中性電圧相用導電バーを各ケース間に掛け渡して挿着されるようになし、この中性電圧相用導電バーに共用される単一の中性電圧相用端子片部を延設したことを特徴とする請求項５記載のプラグインブレーカ用端子台。
【請求項７】
第一電圧相用導電バー及び第二電圧相用導電バーを各ケース間に掛け渡して挿着されるようになし、この第一電圧相用導電バー及び第二電圧相用導電バーに各々で共用される単一の第一電圧相用端子片部と第二電圧相用端子片部とを延設し、同第一電圧相用導電バー及び第二電圧相用導電バーには並設されるケース一つとばしの間隔をあけたピッチで複数の接続片部を各々に配設して、両者の接続片部が交互に突設されるようになしたことを特徴とする請求項６記載のプラグインブレーカ用端子台。
【発明の詳細な説明】
【０００１】
【発明の属する技術分野】
本発明は、電線導体とプラグインブレーカとの間に介在して両者を電気的に接続するプラグインブレーカ用端子台に関するものである。
【０００２】
【従来の技術】
一般に、集合住宅やマンション等の各需要家に使用される分電盤にあっては、各需要家内に設けられた火災報知器や消火設備等の非常用機器への電源を確保することができるように、主幹ブレーカの一次側（電源側）から非常用電源を得る非常電源系を設けてあり、この非常電源系には一次送りブレーカが挿入されている。ここで、一次送りブレーカは入力側が主幹ブレーカの一次側に送り線を介して接続されている。
【０００３】
ところで、近年、分電盤の施工性や安全性の向上を目的に、主幹ブレーカの二次側に接続される分岐ブレーカとして、バー接続専用のプラグインブレーカを用いることが標準化されてきている。ここで、ブレーカを共通化するために、一次送りブレーカとしてもプラグインブレーカを用いることが考えられるが、送り線は単なる被覆電線であり、一次送りブレーカとしては送り線の末端を接続するネジ式で大型のブレーカを使用しなければならず、一次送りブレーカをプラグインブレーカとすることはできなかった。
【０００４】
この問題を解決するものとして、本出願人は、電線導体とプラグインブレーカとの間に介在して両者を電気的に接続することができる接続変換装置（特開２００１−１５７３２３号公報）を提案している。この接続変換装置は、図１７〜１９に示す如く、絶縁性を有するケース１と、このケース１内に挿着される極性の異なった複数の導電バー２とを備え、導電バー２を介してプラグインブレーカ３と電線導体（４３、４４）とを接続することができるものである。
【０００５】
この場合、複数の導電バー２はケース１の高さ方向に位置をずらせて挿着されており、各導電バー２の前端にはプラグインブレーカ３のプラグイン機構部４に挿入接続される接続片部５が延設され、この各接続片部５はケース１の前方へ突設されており、各導電バー２の後端にはネジ孔１４に螺合されるネジ１５で電線導体（４３、４４）が取着固定される端子片部６が側方へ折曲するように延設され、この各端子片部６はケース１の側部に突出形成された上下の階段状面３８に載置されて同ケース１の側方へ階段状に突設されている。又、ケース１には上下に複数の収納溝３９が形成されており、この各収納溝３９に導電バー２は側方より挿入係合されて挿着される。
【０００６】
そして、この接続変換装置は、図１８、１９に示す如く、取付板２８上にネジ固定されるものであり、同接続変換装置には各接続片部５を介してプラグインブレーカ３が接続され、同接続変換装置の各端子片部６にはネジ１５によって電線導体（４３、４４）が接続される。又、ここでの分電盤４１内には、前記プラグインブレーカ３が一次送りブレーカとして内蔵される他、主幹ブレーカ４５及び多数の分岐ブレーカ４２が内蔵されており、この分岐ブレーカ４２も前記一次送りブレーカと同じプラグイン式のブレーカである。この場合、主幹ブレーカ４５は固定ベース４０上に設置されて分電盤４１内に固定され、同固定ベース４０に前記取付板２８が接続固定されている。
【０００７】
なお、ここで、分岐ブレーカ４２は主幹ブレーカ４５の二次側（出力側）に入力側が電気的に接続されている。又、一次送りブレーカとなるプラグインブレーカ３は、各需要家内に設けられた火災報知器や消火設備等の非常用機器への電源を確保することができるように設けた非常電源系に挿入されるものであり、入力側が主幹ブレーカ４５の一次側（電源側）に電線導体となる送り線４３、４４を介して電気的に接続されている。
【０００８】
したがって、この接続変換装置にあっては、電線導体（４３、４４）を端子片部６に接続することができ、且つ、接続片部５にプラグインブレーカ３を接続することができるので、分電盤４１内に配設する場合に、主幹ブレーカ４５の一次側からの電線導体（４３、４４）を端子片部６に接続することで、一次送りブレーカとしてプラグインブレーカ３を用いることができ、分岐ブレーカ４２と一次送りブレーカとを同じプラグイン式のブレーカとすることができ、部品の共通化を図ることができる。又、各端子片部６が階段状に突設されているので、ネジ１５を締め付けたり緩めたりする作業が容易になる。
【０００９】
【発明が解決しようとする課題】
しかしながら、上記従来の技術にあっては、端子片部６がケース１の側方へ突設されているため、端子台全体はどうしても巾広くなってしまい、又、ケース１が単独で設置固定されるものであるため、複数の端子台を並設する場合には、個々の端子台を位置決めして設置固定する作業が困難となり、コンパクトな納まりも期待できず、回路増設には対応し難いという問題があった。
【００１０】
本発明は、上記従来の技術における問題を悉く解決するために発明されたもので、その課題は、電線導体とプラグインブレーカとの接続が可能となり、薄型で並設されてもコンパクトに納まり、並設する場合の設置固定作業が簡単で、回路増設に対応し易いプラグインブレーカ用端子台を提供することである。
【００１１】
【課題を解決するための手段】
本発明の請求項１記載のプラグインブレーカ用端子台は、絶縁性を有するケースと、このケース内に挿着される極性の異なった複数の導電バーとを備え、導電バーを介してプラグインブレーカと電線導体とを接続するプラグインブレーカ用端子台であって、複数の導電バーをケースの高さ方向に位置をずらせて挿着し、各導電バーの前端にプラグインブレーカのプラグイン機構部に挿入接続される接続片部を延設して、この各接続片部をケースの前方へ突設し、各導電バーの後端に電線導体がネジ止めされる端子片部を延設して、この各端子片部をケースの後方へ階段状に突設し、ケースの両側壁部に同ケース間で相互に連結され得る形状の係合部と被係合部とを配設形成してなるものである。
【００１２】
したがって、この場合、ケースの後方へ突設された導電バーの端子片部に電線導体をネジ止めして接続することができ、その際、各端子片部がケースの後方へ階段状に突設されているため、ネジを締め付けたり緩めたりする作業は容易である。そして、ケースの前方へ突設された導電バーの接続片部をプラグインブレーカのプラグイン機構部に挿入接続することで、このプラグインブレーカと前記電線導体とを同導電バーを介して電気的に接続することができる。
【００１３】
又、複数の導電バーはケース高さ方向に位置をずらせて挿着され、各導電バーの接続片部と端子片部とが相反する前方、後方へと突設されているため、ケース全体は巾狭く薄型に形成されて小型化が図られる。しかも、ケースの両側壁部に同ケース間で相互に連結され得る形状の係合部と被係合部とが配設形成されているため、ケースが巾方向に並設される場合、係合部と被係合部とを連結してケースを相互に位置決めすることができ、複数のケースを連結一体化して簡単に設置固定することもできて、使い勝手は良好である。又、この場合、巾方向に並設される複数のケースは全体としてコンパクトに納められ、同じケースが用いられることで部材の共通化も図られる。これにより、予期せぬ回路増設にも容易に対応することができる。
【００１４】
本発明の請求項２記載のプラグインブレーカ用端子台は、上記請求項１記載のプラグインブレーカ用端子台において、ケースの両側壁部間の外形巾寸法を接続されるプラグインブレーカの巾寸法と略等しく形成したことを特徴とするものである。
【００１５】
したがって、この場合は特に、ケースの両側壁部間の外形巾寸法が接続されるプラグインブレーカの巾寸法と略等しく形成されているので、プラグインブレーカとケースとは略同巾で薄型に一連となって接続されて納まり、ケースが巾方向に並設される場合には、同プラグインブレーカのスペース実装効率が向上し、更なるコンパクト化が図られる。
【００１６】
本発明の請求項３記載のプラグインブレーカ用端子台は、上記請求項１又は２記載のプラグインブレーカ用端子台において、ケースの内面に、前方から挿着される導電バーを位置決めして抜け止めする凸起を突設形成したことを特徴とするものである。
【００１７】
したがって、この場合は特に、前方から挿着された導電バーが凸起に係止されて位置決めされ抜け止めもなされるので、この導電バーの挿着は簡単で抜け外れのない確実なものとなり、予めケースに同導電バーを挿着した状態でブロック化することもできて、取り扱いが容易なものとなる。
【００１８】
本発明の請求項４記載のプラグインブレーカ用端子台は、上記請求項１〜３のいずれか一つに記載のプラグインブレーカ用端子台において、ケースの両側壁部に、前方から挿着される導電バーを受け入れて係合保持するスリットを配設形成したことを特徴とするものである。
【００１９】
したがって、この場合は特に、前方から挿着される導電バーがケース両側のスリットに受け入れられて係合保持されるので、この導電バーの挿着は両側のスリットにガイドされながらスムーズに行われるようになる。
【００２０】
本発明の請求項５記載のプラグインブレーカ用端子台は、上記請求項４記載のプラグインブレーカ用端子台において、係合部と被係合部とが連結されて複数のケースが並設される場合に、同複数のケース間に渡って連続する導電バーを備え、この導電バーがスリットに係合保持されて各ケース間に掛け渡して挿着されるようになし、同導電バーには共用される単一の端子片部を延設したことを特徴とするものである。
【００２１】
したがって、この場合は特に、複数のケース間に渡って連続する導電バーを備え、この導電バーがスリットに係合保持されて各ケース間に掛け渡して挿着されるようになっているので、この導電バーを複数のケースにまとめて挿着することができて組立が容易となり、複数のケースは同導電バーによって相互に位置ズレしないよう確実に結合一体化される。しかも、前記導電バーには共用される単一の端子片部が延設されているので、この共用の端子片部に電線導体をネジ止めすることで、配線接続作業が簡略化される。
【００２２】
本発明の請求項６記載のプラグインブレーカ用端子台は、上記請求項５記載のプラグインブレーカ用端子台において、導電バーとして、中性電圧相用導電バーと第一電圧相用導電バーと第二電圧相用導電バーとを備え、中性電圧相用導電バーを各ケース間に掛け渡して挿着されるようになし、この中性電圧相用導電バーに共用される単一の中性電圧相用端子片部を延設したことを特徴とする。
【００２３】
したがって、この場合は特に、導電バーとして、中性電圧相用導電バーと第一電圧相用導電バーと第二電圧相用導電バーとを備えており、中性電圧相用導電バーが上記と同様に各ケース間に掛け渡して挿着されるようになっていて、これにより、上記組立の容易性と確実性に係る作用効果が実現される。又、中性電圧相用導電バーに上記と同様に共用の中性電圧相用端子片部が延設されていて、これにより、上記配線接続作業の簡略化に係る作用効果が実現される。
【００２４】
本発明の請求項７記載のプラグインブレーカ用端子台は、上記請求項６記載のプラグインブレーカ用端子台において、第一電圧相用導電バー及び第二電圧相用導電バーを各ケース間に掛け渡して挿着されるようになし、この第一電圧相用導電バー及び第二電圧相用導電バーに各々で共用される単一の第一電圧相用端子片部と第二電圧相用端子片部とを延設し、同第一電圧相用導電バー及び第二電圧相用導電バーには並設されるケース一つとばしの間隔をあけたピッチで複数の接続片部を各々に配設して、両者の接続片部が交互に突設されるようになしたことを特徴とするものである。
【００２５】
したがって、この場合は特に、中性電圧相用導電バーだけでなく第一電圧相用導電バー及び第二電圧相用導電バーも各ケース間に掛け渡して挿着されるようになっているので、上記組立の容易性と確実性に係る作用効果がより向上して実現される。又、中性電圧相用導電バーだけでなく第一電圧相用導電バー及び第二電圧相用導電バーにも共用の第一電圧相用端子片部と第二電圧相用端子片部とが延設されているので、上記配線接続作業の簡略化に係る作用効果がより向上して実現される。更に、第一電圧相用導電バー及び第二電圧相用導電バーには並設されるケース一つとばしの間隔をあけたピッチで複数の接続片部が各々に配設されていて、両者の接続片部が交互に突設されるので、電気的に相バランスが取れた状態での電源送りが可能となる。
【００２６】
【発明の実施の形態】
図１〜４は、本発明の請求項１〜４に対応する第一の実施形態を示し、この実施形態のプラグインブレーカ用端子台は、絶縁性を有するケース１と、このケース１内に挿着される極性の異なった複数の導電バー２とを備え、導電バー２を介してプラグインブレーカ３と電線導体とを接続することができるものである。ここでは、複数の導電バー２をケース１の高さ方向に位置をずらせて挿着し、各導電バー２の前端にプラグインブレーカ３のプラグイン機構部４に挿入接続される接続片部５を延設して、この各接続片部５をケース１の前方へ突設し、各導電バー２の後端に電線導体がネジ止めされる端子片部６を延設して、この各端子片部６をケース１の後方へ階段状に突設し、ケース１の両側壁部７に同ケース１間で相互に連結され得る形状の係合部８と被係合部９とを配設形成している。
【００２７】
そして、このプラグインブレーカ用端子台では、図２に示す如く、ケース１の両側壁部７間の外形巾寸法Ｌ１を接続されるプラグインブレーカ３の巾寸法Ｌ２と略等しく形成している。しかも、図３に示す如く、ケース１の内面には前方から挿着される導電バー２を位置決めして抜け止めする凸起１０を突設形成し、又、ケース１の両側壁部７には前方から挿着される導電バー２を受け入れて係合保持するスリット１１を配設形成してもいる。
【００２８】
次に、この実施形態の具体的な構造について詳細に説明するが、分電盤内での用いられ方については、上記従来の技術での説明と同様にもなるので、ここではその説明を省略する。ケース１は絶縁性を有する合成樹脂等の材料で一体に射出成形されたもので、前後方向に長く巾方向に薄型で高くて縦長の中空形状に形成されており、その外形の巾寸法Ｌ１と高さ寸法については接続されるプラグインブレーカ３と略等しく形成されている。
【００２９】
ケース１内には上下に仕切られた複数の開口スペース１２が形成されており、各開口スペース１２に連続して後方へ突出する載置面部１３が同ケース１の後壁部分に階段状となるよう露出形成されている。ケース１の両側壁部７の前端縁には上下複数のスリット１１が相互に平行となるよう各々前方へ開口されて配設形成されており、各スリット１１の方向は各導電バー２が挿入される前後方向となる。各スリット１１は下側のものほど後方へ深く切り込み形成されており、上位のスリット１１ａは中性電圧相用導電バー２ａ用に、中位のスリット１１ｃは第二電圧相用導電バー２ｃ（この実施形態では使用されていない）用に、下位のスリット１１ｂは第一電圧相用導電バー２ｂ用に、各々使用されるものである。
【００３０】
又、ケース１の一方の側壁部７の後部外面には前後方向に長い断面略Ｔ字状の凸起リブでなる係合部８が形成され、他方の側壁部７には同係合部８が後方から挿入されてスライド係合されるよう後方に開口した前後方向に長い切溝状の被係合部９が形成されている。係合部８が配設された方の側壁部７の外面には、その後部に一つ及び前部に上下二つの偏平で前後方向に長い凸リブ２１が各々突設されており、各凸リブ２１の突出高さは低くて相互に等しく形成されている。
【００３１】
導電バー２としては中性電圧相用導電バー２ａと第一電圧相用導電バー２ｂとを備えており、いずれの導電バー２も導電率の高い帯状金属板を折曲加工する等して形成されたものである。第一電圧相用導電バー２ｂは側面視略Ｚ状に折曲した形状で、中位縦片部１６の上端縁に後方へ折曲突出した端子片部６ｂが形成され、同中位縦片部１６の下端縁に中位横片部１７を介して前方へ折曲突出した接続片部５ｂが形成されてなる。中性電圧相用導電バー２ａは側面視略逆Ｚ状に折曲した形状で、中程縦片部１９の上端縁に前方へ折曲突出した接続片部５ａが形成され、同中程縦片部１９の下端縁に後方へ折曲突出した端子片部６ａが形成されてなる。
【００３２】
各導電バー２は前記ケース１の開口スペース１２に各々前方から挿入され、各々の端子片部６が前記載置面部１３上に配置される。この場合、中性電圧相用導電バー２ａの端子片部６ａは上位の載置面部１３上に露出配置され、第一電圧相用導電バー２ｂの端子片部６ｂは下位の載置面部１３上に露出配置され、いずれの端子片部６にもネジ孔１４が形成されていて、このネジ孔１４に上方からネジ１５が螺合され、同ネジ１５が締め付けられることによって、各端子片部６には電線導体が同ネジ１５を介して簡単且つ強固に接続される。
【００３３】
又、この場合、中性電圧相用導電バー２ａの接続片部５ａの基端部両側縁が前記ケース１の上位両側のスリット１１ａに各々前方からスライド係合され、第一電圧相用導電バー２ｂの中位横片部１７の両側端縁が前記ケース１の下位両側のスリット１１ｂに各々前方からスライド係合され、いずれの導電バー２も同ケース１にスムーズに挿着されて収納される。
【００３４】
そして、中性電圧相用導電バー２ａの接続片部５ａの基端部付近には係合孔２０が形成されており、図３に示す如く、ケース１上位の開口スペース１２の内上面に突設形成されたテーパー状の凸起１０ａに同係合孔２０が係止され、第一電圧相用導電バー２ｂの中位縦片部１６の両端縁部１８が同ケース１下位の開口スペース１２の内側面に突設形成されたテーパー状の凸起１０ｂに係止される。その際、いずれの凸起１０も前方程低いテーパー状に形成されているので、導電バー２を抵抗少なくスムーズに挿入することができて組み立てし易く、いずれの凸起１０も係止固定され易くて外れ難いものである。
【００３５】
プラグインブレーカ３はその端部上中下に三つのプラグイン機構部４を備えており、一次送りブレーカや分岐ブレーカとして使用される一般に標準化されたものである。このプラグインブレーカ３を前記プラグインブレーカ用端子台に接続するに際しては、上位のプラグイン機構部４に前記中性電圧相用導電バー２ａの接続片部５ａが挿入接続され、下位のプラグイン機構部４に前記第一電圧相用導電バー２ｂの接続片部５ｂが挿入接続される。
【００３６】
その際、固定されるプラグインブレーカ用端子台に向かって、プラグインブレーカ３をスライドさせて押し付けることにより簡単に接続することができる。しかも、この場合、プラグインブレーカ３の端部付近の上面両側に突設された対の凸起片２３間に、プラグインブレーカ用端子台のケース１の前端上縁中程に突設された凸片部２２が係合されて、同ケース１とプラグインブレーカ３とは相互に巾方向で位置決めガイドされ、スムーズ且つ正確に接続することができる。
【００３７】
又、ケース１が巾方向に並設される場合（後述の実施形態参照）には、前記係合部８と被係合部９とが相互に前後方向にスライド係合され、同ケース１は巾方向に複数連結される。その際、ケース１の一方の側壁部７外面に突設された凸リブ２１が隣接するケース１の他方の側壁部７外面に当接されるので、並設連結されるケース１間のガタツキが防止される。しかも、この場合、複数の凸リブ２１が係合部８及び各スリット１１に沿って対応し前後方向に長く突設されているため、ケース１間での隙間発生が前後方向の長い範囲で防止され、前記ガタツキは確実に防止され、複数のケース１が相互に安定した状態で連結される。又、ケース１を相互に連結する際には、前後方向に長い凸リブ２１が対向するケース１の側壁部７外面に抵抗少なくスムーズに摺接される。
【００３８】
したがって、この実施形態のプラグインブレーカ用端子台においては、ケース１の後方へ突設された導電バー２の端子片部６に電線導体をネジ１５で止めて接続することができ、その際、各端子片部６がケース１の後方へ階段状に突設されているため、ネジ１５を締め付けたり緩めたりする作業は容易である。そして、ケース１の前方へ突設された導電バー２の接続片部５をプラグインブレーカ３のプラグイン機構部４に挿入接続することで、このプラグインブレーカ３と前記電線導体とを同導電バー２を介して電気的に接続することができる。
【００３９】
更に、複数の導電バー２はケース高さ方向に位置をずらせて挿着され、各導電バー２の接続片部５と端子片部６とが相反する前方、後方へと突設されているため、ケース１全体は巾狭く薄型に形成されて小型化が図られている。しかも、ケース１の両側壁部７に同ケース１間で相互に連結され得る形状の係合部８と被係合部９とが配設形成されているため、ケース１が巾方向に並設される場合、係合部８と被係合部９とを前後方向のスライド係合により連結してケース１を相互に容易に位置決めすることができ、複数のケース１を連結一体化して簡単に設置固定することもできて、使い勝手は良好である。
【００４０】
又、この場合、巾方向に並設される複数のケース１は全体としてコンパクトに納められ、同じケース１が用いられることで部材の共通化も図られる。これにより、予期せぬ回路増設にも容易に対応することができる。しかも、ケース１の両側壁部７間の外形巾寸法Ｌ１が接続されるプラグインブレーカ３の巾寸法Ｌ２と略等しく形成されているので、プラグインブレーカ３とケース１とは略同巾で薄型に一連となって接続されて納まり、ケース１が巾方向に並設される場合に、同プラグインブレーカ３のスペース実装効率が向上して、更なるコンパクト化を図ることができる。
【００４１】
又、この実施形態のプラグインブレーカ用端子台においては、前方から挿着された導電バー２が凸起１０に係止されて位置決めされ抜け止めもなされるので、この導電バー２の挿着は簡単で抜け外れのない確実なものとなって、予めケース１に同導電バー２を挿着した状態でブロック化することもでき、取り扱いが容易なものとなる。しかも、この場合、前方から挿着される導電バー２がケース１両側のスリット１１に受け入れられて係合保持されるので、この導電バー２の挿着は両側のスリット１１にガイドされながらスムーズに行われる。
【００４２】
図５〜１１は、本発明の請求項１〜７全てに対応する第二の実施形態を示し、この実施形態のプラグインブレーカ用端子台では、上記第一の実施形態と同じケース１が四つ使用されるものである。そして、係合部８と被係合部９とが連結されて複数のケース１が並設される場合に、同複数のケース１間に渡って連続する導電バー２を備え、この導電バー２がスリット１１に係合保持されて各ケース１間に掛け渡して挿着されるようになし、同導電バー２には共用される単一の端子片部６を延設している。
【００４３】
したがって、この実施形態のプラグインブレーカ用端子台においては、複数のケース１間に渡って連続する導電バー２を備え、この導電バー２がスリット１１に係合保持されて各ケース１間に掛け渡して挿着されるようになっているので、この導電バー２を複数のケース１にまとめて挿着することができて組立が容易となり、複数のケース１は同導電バー２によって相互に位置ズレしないよう確実に結合一体化される。しかも、前記導電バー２には共用される単一の端子片部６が延設されているので、この共用の端子片部６に電線導体をネジ１５で止めることによって、配線接続作業が簡略化される。
【００４４】
そして、ここでは、導電バー２として、中性電圧相用導電バー２ａと第一電圧相用導電バー２ｂと第二電圧相用導電バー２ｃとを備え、中性電圧相用導電バー２ａを各ケース１間に掛け渡して挿着されるようになし、この中性電圧相用導電バー２ａに共用される単一の中性電圧相用端子片部６ａを延設している。したがって、この場合、中性電圧相用導電バー２ａが前記と同様に各ケース１間に掛け渡して挿着されるようになっていて、これにより、前記組立の容易性と確実性に係る作用効果が実現される。又、中性電圧相用導電バー２ａに前記と同様に共用の中性電圧相用端子片部６ａが延設されていて、これにより、前記配線接続作業の簡略化に係る作用効果が実現される。
【００４５】
更に、ここで、第一電圧相用導電バー２ｂ及び第二電圧相用導電バー２ｃも各ケース１間に掛け渡して挿着されるようになし、この第一電圧相用導電バー２ｂ及び第二電圧相用導電バー２ｃに各々で共用される単一の第一電圧相用端子片部６ｂと第二電圧相用端子片部６ｃとを延設し、同第一電圧相用導電バー２ｂ及び第二電圧相用導電バー２ｃには並設されるケース１一つとばしの間隔をあけたピッチで複数の接続片部５ｂ、５ｃを各々に配設して、両者の接続片部５ｂ、５ｃが交互に突設されるようになしている。
【００４６】
したがって、この場合、中性電圧相用導電バー２ａだけでなく第一電圧相用導電バー２ｂ及び第二電圧相用導電バー２ｃも各ケース１間に掛け渡して挿着されるようになっているので、前記組立の容易性と確実性に係る作用効果がより向上して実現される。又、中性電圧相用導電バー２ａだけでなく第一電圧相用導電バー２ｂ及び第二電圧相用導電バー２ｃにも共用の第一電圧相用端子片部６ｂと第二電圧相用端子片部６ｃとが延設されているので、前記配線接続作業の簡略化に係る作用効果がより向上して実現される。
【００４７】
しかも、第一電圧相用導電バー２ｂ及び第二電圧相用導電バー２ｃには並設されるケース１一つとばしの間隔をあけたピッチで複数の接続片部５ｂ、５ｃが各々に配設されていて、両者の接続片部５ｂ、５ｃが交互に突設されるので、電気的に相バランスが取れた状態での電源送りが可能となる。
【００４８】
次に、この実施形態の上記第一の実施形態とは異なる各導電バー２の具体的な構造について詳細に説明する。導電バー２として、上位に配置される中性電圧相用導電バー２ａと、下位に配置される第一電圧相用導電バー２ｂと、この両導電バー２ａ、２ｂ間の中位に配置される第二電圧相用導電バー２ｃと、を備えている。中性電圧相用導電バー２ａは、四つのケース１に掛け渡して挿着される長さに形成されており、その接続片部５ａが長手方向全長に渡り連続して一体に形成されている。
【００４９】
この場合、中性電圧相用導電バー２ａの後方には、その最端位置に中程縦片部１９を介して共用の中性電圧相用端子片部６ａが突設される他、三つの係合横片部２４が等間隔で突設されており、この各係合横片部２４はケース１の貫通開口２５に各々前方から挿入係合される。又、接続片部５ａの基端部付近には、前記各係合横片部２４及び中程縦片部１９と対応する位置各々に係合孔２０が等間隔で形成され、この各係合孔２０は各ケース１の内上面の凸起１０ａに係止される。そして、中性電圧相用導電バー２ａの全長に渡る接続片部５ａが各ケース１両側のスリット１１ａに前方から挿入されて掛け渡し状に係合保持され、又、単一の中性電圧相用端子片部６ａは最端に位置するケース１の上位の載置面部１３上に露出配置される。
【００５０】
第一電圧相用導電バー２ｂは、三つのケース１に掛け渡して挿着される長さに形成されており、その中位横片部１７が長手方向全長に渡り連続して一体に形成されている。又、中位横片部１７の両端位置の前方にはケース１一つとばしの間隔をあけたピッチで接続片部５ｂが突設されており、同中位横片部１７の片側端位置の後方には中位縦片部１６を介して共用の第一電圧相用端子片部６ｂが突設されている。そして、第一電圧相用導電バー２ｂの全長に渡る前記中位横片部１７が各ケース１両側のスリット１１ｂに前方から挿入されて掛け渡し状に係合保持され、又、単一の第一電圧相用端子片部６ｂは最端に位置するケース１の下位の載置面部１３上に露出配置される。
【００５１】
第二電圧相用導電バー２ｃも、三つのケース１に掛け渡して挿着される長さに形成されており、その両端位置にケース１一つとばしの間隔をあけたピッチで配置されて前方に突設される接続片部５ｃが、長手方向全長に渡り連続して一体に形成される架設状片部２６を介して一体化されている。又、架設状片部２６の両端位置の後方には両接続片部５ｃと対応して後横片部２７が突設されており、両後横片部２７には各々係合孔２０が形成され、この両係合孔２０は各ケース１の内上面の凸起１０ａに係止されるものであり、片方の後横片部２７の後端縁には共用の第二電圧相用端子片部６ｃが延設されている。
【００５２】
そして、第二電圧相用導電バー２ｃの全長に渡る前記架設状片部２６が各ケース１両側のスリット１１ｃに前方から挿入されて掛け渡し状に係合保持され、又、単一の第二電圧相用端子片部６ｃは最端から二番目に位置するケース１の下位の載置面部１３上に露出配置される。それ故、図８に示す如く、前記第一電圧相用導電バー２ｂの接続片部５ｂと第二電圧相用導電バー２ｃの接続片部５ｃとが、各ケース１ごとで交互に同じ高さ位置で前方に突設される。
【００５３】
ところで、この実施形態のプラグインブレーカ用端子台では、図９〜１１に示す如く、取付板２８上にケース１及びプラグインブレーカ３が配設固定される。取付板２８は金属板を折曲加工して形成されたもので、プラグインブレーカ用端子台の複数のケース１が並設される山型の端子台用設置部２９と、複数のプラグインブレーカ３が並設される山型のブレーカ用設置部３０と、両設置部２９、３０を連設させる谷型の連設部３１と、を有している。そして、連設部３１に穿設された取付孔３２に挿通されるビスによって、取付板２８は分電盤内等に取着固定される。
【００５４】
そして、端子台用設置部２９には複数の係合受け孔３３が穿設されており、各係合受け孔３３にケース１の底面に突設された略Ｌ字状の係止凸片３４が上方から挿入係止されることで、各ケース１は位置決めされ、この状態において、各ケース１の後端部分に形成されたネジ止め用切欠部１５ａに挿通されるネジ１５が、同端子台用設置部２９に穿設されるネジ受け孔１５ｂに螺合して締め付けられることにより、同端子台用設置部２９上に複数のケース１は正確且つ能率的に設置固定される。
【００５５】
又、ブレーカ用設置部３０の両側端縁には上方へ突出した側壁片３５が折曲形成されており、同ブレーカ用設置部３０の上面には複数の位置決めリブ３６が所定間隔で突設されていて、両端に配置されるプラグインブレーカ３が両側壁片３５間で当接挟持されると共に、各プラグインブレーカ３間が位置決めリブ３６にて位置決めされることで、前記プラグインブレーカ用端子台に接続される各プラグインブレーカ３は、同ブレーカ用設置部３０上の所定の位置に保持固定される。しかも、その際、取付板２８の前端部分に配設される複数の回動取着片３７が、各プラグインブレーカ３の下端部分に回動操作されて係止されるので、ブレーカ用設置部３０上に同各プラグインブレーカ３は簡単且つ確実に保持固定される。
【００５６】
なお、この実施形態のプラグインブレーカ用端子台において、前述以外、ケース１の構造やケース１相互の連結構造、同ケース１とプラグインブレーカ３との接続構造等は、上記第一の実施形態と同様に構成されており、それ故、上記第一の実施形態におけると同様の作用効果が奏されるので、その説明については省略する。又、この実施形態のプラグインブレーカ用端子台における取付板２８を、ケース１一つ分に対応するよう巾狭の寸法に形成して、上記第一の実施形態において採用しても良い。
【００５７】
図１２〜１５は、本発明の請求項１〜６に対応する第三の実施形態を示し、この実施形態のプラグインブレーカ用端子台では、上記第一の実施形態と同じケース１が二つ並設されるものである。それ故、第一電圧相用導電バー２ｂ及び第二電圧相用導電バー２ｃには各々一つの接続片部５ｂ、５ｃが突設されるだけであり、取付板２８は、図１５に示す如く、ケース１二つ分に対応するよう巾狭の寸法に形成されている。なお、それ以外は、上記第二の実施形態と同様に構成されており、上記第二の実施形態におけると同様の作用効果が奏されるので、その説明については省略する。
【００５８】
又、本発明においては、図１６に示す如く、上記第二の実施形態のプラグインブレーカ用端子台を複数セット並設しても良い。すなわち、この場合、八つのケース１が相互に連結されて並設され、各ケース１の接続片部５に計八つのプラグインブレーカ３が接続される。又、この場合、ケース１八つ分に対応するよう巾広の寸法に形成された取付板２８を使用しても良い。なお、それ以外は、上記第二の実施形態と同様に構成されており、上記第二の実施形態におけると同様の作用効果が奏されるので、その説明については省略する。
【００５９】
又、本発明において、ケース１が並設される場合に、プラグインブレーカ３と略同外形状のダミーが使用されても良い。又、回路増設に際して、プラグインブレーカ用端子台は、一次送りブレーカの増設のみならず、主幹ブレーカ４５の二次側となる分岐ブレーカ４２の増設にも対応し得るものである。すなわち、主幹ブレーカ４５の二次側にある通常の分岐回路の増設スペースを使い切って、更に、分岐回路の増設が必要となった場合でも、プラグインブレーカ用端子台を利用して回路増設が可能なものである。
【００６０】
【発明の効果】
上述の如く、本発明の請求項１記載のプラグインブレーカ用端子台においては、端子片部に電線導体をネジ止めして接続することができ、その際、ネジを締め付けたり緩めたりする作業は容易であり、そして、接続片部をプラグインブレーカのプラグイン機構部に挿入接続することで、プラグインブレーカと電線導体とを電気的に接続することができる。しかも、ケースが薄型に形成され、ケースが巾方向に並設される場合、ケースを相互に位置決めし連結一体化して簡単に設置固定することができ、巾方向に並設される複数のケースは全体としてコンパクトに納まり、同じケースが用いられることで部材の共通化も図られ、回路増設に容易に対応することが可能となる。
【００６１】
又、本発明の請求項２記載のプラグインブレーカ用端子台においては、特に、接続されるプラグインブレーカとケースとが略同巾で一連となって納まり、ケースが巾方向に並設される場合には、同プラグインブレーカのスペース実装効率が向上し、更なるコンパクト化が図られる。
【００６２】
又、本発明の請求項３記載のプラグインブレーカ用端子台においては、特に、導電バーの挿着が位置決めされて簡単で抜け外れのない確実なものとなり、予めケースに同導電バーを挿着した状態でブロック化することもできて、取り扱いが容易なものとなる。
【００６３】
又、本発明の請求項４記載のプラグインブレーカ用端子台においては、特に、前方から挿着される導電バーがケース両側のスリットに受け入れられ係合保持されてガイドされ、同導電バーの挿着はスムーズに行われるようになる。
【００６４】
又、本発明の請求項５記載のプラグインブレーカ用端子台においては、特に、導電バーを複数のケースにまとめて挿着することができて組立が容易となり、複数のケースは同導電バーによって相互に位置ズレしないよう確実に結合一体化され、しかも、共用の端子片部に電線導体をネジ止めすることで、配線接続作業が簡略化される。
【００６５】
又、本発明の請求項６記載のプラグインブレーカ用端子台においては、特に、導電バーとして、中性電圧相用導電バーと第一電圧相用導電バーと第二電圧相用導電バーとを備え、この中性電圧相用導電バーによって、上記組立の容易性と確実性に係る作用効果及び配線接続作業の簡略化に係る作用効果が実現される。
【００６６】
又、本発明の請求項７記載のプラグインブレーカ用端子台においては、特に、中性電圧相用導電バーと第一電圧相用導電バー及び第二電圧相用導電バーによって、上記組立の容易性と確実性に係る作用効果及び配線接続作業の簡略化に係る作用効果がより向上して実現される。しかも、第一電圧相用導電バー及び第二電圧相用導電バーの接続片部が交互に突設されるので、電気的に相バランスが取れた状態での電源送りが可能となる。
【００６７】
なお、本発明のプラグインブレーカ用端子台は、一次送りブレーカ接続用として使用する場合のみならず、主幹ブレーカの二次側にプラグンイブレーカを送り線により接続する場合にも応用できるものであることは言うまでもない。
【図面の簡単な説明】
【図１】本発明の第一の実施形態であるプラグインブレーカ用端子台とプラグインブレーカとの接続対応関係を示す斜め後上方からみた分解斜視図。
【図２】同プラグインブレーカ用端子台とプラグインブレーカとの接続対応関係を示す平面図。
【図３】同プラグインブレーカ用端子台の内部構造を示す斜め前上方からみた要部切欠断面斜視図。
【図４】同プラグインブレーカ用端子台とプラグインブレーカとの接続状態を示す斜め後上方からみた斜視図。
【図５】本発明の第二の実施形態であるプラグインブレーカ用端子台を示す斜め後上方からみた分解斜視図。
【図６】同プラグインブレーカ用端子台を示す斜め後上方からみた斜視図。
【図７】同プラグインブレーカ用端子台を示す斜め前上方からみた分解斜視図。
【図８】同プラグインブレーカ用端子台を示す斜め前上方からみた斜視図。
【図９】同プラグインブレーカ用端子台の取付板への取付状態を示す斜め後下方からみた斜視図。
【図１０】同プラグインブレーカ用端子台とプラグインブレーカとの接続対応関係及び取付板との取付対応関係を示す斜め後上方からみた分解斜視図。
【図１１】同プラグインブレーカ用端子台とプラグインブレーカとの接続状態及び取付板との取付状態を示す斜め後上方からみた斜視図。
【図１２】本発明の第三の実施形態であるプラグインブレーカ用端子台を示す平面図。
【図１３】同プラグインブレーカ用端子台を示す分解平面図。
【図１４】同プラグインブレーカ用端子台を示す分解側面図。
【図１５】同プラグインブレーカ用端子台が取り付けられる取付板を示す平面図。
【図１６】本発明の上記第二の実施形態であるプラグインブレーカ用端子台の応用実施形態を示す斜め後上方からみた斜視図。
【図１７】従来例である接続変換装置を示す斜め後上方からみた分解斜視図。
【図１８】同接続変換装置が設置された分電盤全体を示す平面図。
【図１９】同接続変換装置とプラグインブレーカとの接続対応関係及び取付板との取付対応関係を示す斜め前上方からみた分解斜視図。
【符号の説明】
１　ケース
２　導電バー
２ａ　中性電圧相用導電バー
２ｂ　第一電圧相用導電バー
２ｃ　第二電圧相用導電バー
３　プラグインブレーカ
４　プラグイン機構部
５　接続片部
５ａ　中性電圧相用バーの接続片部
５ｂ　第一電圧相用バーの接続片部
５ｃ　第二電圧相用バーの接続片部
６　端子片部
６ａ　中性電圧相用端子片部
６ｂ　第一電圧相用端子片部
６ｃ　第二電圧相用端子片部
７　側壁部
８　係合部
９　被係合部
１０　凸起
１０ａ　上方の凸起
１０ｂ　側方の凸起
１１　スリット
１１ａ　中性電圧相用バーを受け入れるスリット
１１ｂ　第一電圧相用バーを受け入れるスリット
１１ｃ　第二電圧相用バーを受け入れるスリット
【図１】
2004030995.tif 000003
【図２】
2004030995.tif 000004
【図３】
2004030995.tif 000005
【図４】
2004030995.tif 000006
【図５】
2004030995.tif 000007
【図６】
2004030995.tif 000008
【図７】
2004030995.tif 000009
【図８】
2004030995.tif 000010
【図９】
2004030995.tif 000011
【図１０】
2004030995.tif 000012
【図１１】
2004030995.tif 000013
【図１２】
2004030995.tif 000014
【図１３】
2004030995.tif 000015
【図１４】
2004030995.tif 000016
【図１５】
2004030995.tif 000017
【図１６】
2004030995.tif 000018
【図１７】
2004030995.tif 000019
【図１８】
2004030995.tif 000020
【図１９】
2004030995.tif 000021